(57)【要約】【課題】コンクリートのような比較的硬質の壁、又は石膏ボードのような比較的柔らかい壁に対して、正確且つ確実に突き刺すことができる壁装着用突き刺しピンを提供する。【解決手段】第１群に属する少なくとも二本の細長い板状ピン１３，１４の第１高さは、第２群に属する板状ピン１５の第２高さよりも高くされているので、壁装着用突き刺しピン１０を壁に突き刺していくときに、第１群の板状ピン１３，１４のみが、集中する突き刺し力を受けて壁に突き刺されていく。次に、第１群の板状ピン１３，１４によって案内されながら、第２群の板状ピン１５による壁への突き刺しが開始され、壁装着用突き刺しピン１０が壁に突き刺されていく。壁装着用突き刺しピン１０は、比較的硬質の壁に対してであっても、突き刺しの途中で姿勢を変更することなく、姿勢を正しく保ったまま安定して確実に突き刺すことができる。【選択図】図１
2012232521.tif 000002
【特許請求の範囲】
【請求項１】
壁に突き刺される針部材と、当該針部材の根元部分が固定されているヘッド部材とを備えており、当該ヘッド部材が壁に取り付けられる物品に係合可能となっている壁装着用突き刺しピンにおいて、
前記針部材は先端部分が尖った少なくとも二本の細長い板状ピンを有しており、
前記板状ピンは、板面が共通の第１面内に存在するように配置された第１群と、板面が前記第１面と平行な共通の第２面内に存在するように配置された第２群とに区分けされており、
前記第１群に属する前記板状ピンは第１高さを有しており、第２群に属する前記板状ピンは前記第１高さよりも低い第２の高さを有していること
を特徴とする壁装着用突き刺しピン。
【請求項２】
前記第１群に属する前記板状ピンは、前記根元部分と前記先端部分の間の中間部において湾曲されていることを特徴とする請求項１に記載の壁装着用突き刺しピン。
【請求項３】
前記第１群に属する前記板状ピンは二本又はそれ以上の本数であり、前記第２群に属する前記板状ピンは一本又はそれ以上の本数であり且つ前記第１群に属する前記板状ピンの本数と等しいかそれよりも少ない本数であることを特徴とする請求項１又は２に記載の壁装着用突き刺しピン。
【請求項４】
前記第１群に属する前記板状ピンの前記先端部分は板厚方向に反らせてあり、そのうちの一部の前記板状ピンと別の一部の前記板状ピンの反り方向が逆であることを特徴とする請求項１に記載の壁装着用突き刺しピン。
【請求項５】
前記ヘッド部材は樹脂で形成されており、前記針部材は、前記根元部分がインサート成形されることにより、前記ヘッド部材に固定されていることを特徴とする請求項１〜４のいずれか一項に記載の壁装着用突き刺しピン。
【請求項６】
前記板状ピンの細長平板の表面には前記針部の長手方向に延びるリブが形成されていることを特徴とする請求項１〜５のいずれか一項に記載の壁装着用突き刺しピン。
【請求項７】
前記リブは、前記ヘッド部材に埋設されている前記根元部分にまで延びて形成されていることを特徴とする請求項６に記載の壁装着用突き刺しピン。
【請求項８】
前記板状ピンの前記先端部分は、三角山状又は鏃状に形成されていることを特徴とする請求項１〜７のいずれか一項に記載の壁装着用突き刺しピン。
【請求項９】
前記板状ピンは、板厚が、前記根元部分から前記先端部分まで一様な厚さ、又は前記根元部分から前記先端部分に向かって次第に薄くされている厚さであることを特徴とする請求項１〜８のいずれか一項に記載の壁装着用突き刺しピン。
【発明の詳細な説明】
【技術分野】
【０００１】
この発明は、家屋等の構築物の壁に、フックのような金具、棚や箱等の家具類のような物品、或いはそうした物品を掛け止めるために用いられるアダプタを装着するための壁装着用突き刺しピンに関する。
【背景技術】
【０００２】
従来、一般の家屋等において、フックのような吊り下げ用又は引っ掛け用の金具、棚や収納ケースや装飾物或いは鏡や額縁等の物品を、石膏ボード、コンクリート、べニヤ板のような木材等の壁材からなる壁に対して取り付けることが行われている。このような物品の壁への取付け構造としては、ピンによって物品を直接に固定する構造、或いはピンを壁材に固定し、その固定されたピンに物品を直接又はアダプタを介して掛け止める構造がある。後者の場合、物品はピンに対して掛け止めてあるだけなので、周囲に取付け専用の器具や装置が物品の外にはみ出ることが少なく、見栄えが良い。更に、物品をピンに対する掛け止めを外すことで、物品を壁から取り外すことも簡単である。
【０００３】
物品を壁に掛け止める場合、壁が耐えられる荷重はその壁材の種類によって異なる。したがって、物品の重さに加えて、壁の種類を考慮して、使用するピンの形態及び個数が選択されている。
【０００４】
壁面に装着する装着具の一例として、特許文献１に開示されているものがある。この装着具は、ピン頭部と当該ピン頭部から延びるピン針部とを備えていて、当該ピン針部を壁に突き刺して壁に取り付けられた画鋲状のピンに対して、ピン頭部を抱き込むようにピンに係合する係合部材を、壁に取り付けたい装飾物に取り付けておき、当該係合部材を画鋲状のピンに係合させることで、装飾物を壁に取り付けることを可能にしている。
【０００５】
ピンは、取り付ける装飾物が軽いものであれば、突き刺しによって壁に突き刺される針の形態にすることができる。しかしながら、装飾物が重いものであると、針の代わりに釘や或いはねじが切られたねじ釘のような形態が用いられ、釘を壁に打ち込む或いはねじ釘を壁にねじ込むことにより、ピンを壁に取り付けることが行われている。
【０００６】
室内の模様替え、或いは住民が引っ越し等で退去する場合、掛け止めていた物を取り外してしまう場合には、掛け止めに用いていたピンも壁から取り除くことが一般的である。石膏ボード、ベニヤ等の木材、或いはマンション壁のようなコンクリートである壁材の場合、壁に刺したピンを取り外すと、ピンが刺されていた壁の箇所には大きな穴が残り、室の美観や価値が損なわれるおそれがある。特に、ねじ釘のような形態のものはこの傾向が強いと言える。この穴を埋める作業は手間が掛かり、しかもその周囲から目立たないように且つ低コストで穴を埋めることは非常に難しい。
【０００７】
また、コンクリート壁のような硬い壁に突き刺す壁装着用突き刺しピンにおいては、壁の抵抗力が大きく、それに打ち勝つ大きな力で突き刺しピンを打ち込む必要がある。しかしながら、そのような大きな力で突き刺しピンを硬質の壁に対して真っ直ぐな姿勢を維持しながら突き刺し続けることは困難である。即ち、突き刺しピンは、打ち込み当初や打ち込み途中から、ピン自体が変形し易い、又は突き刺しピンの姿勢が変化し易い。突き刺しピン自体が変形する又はその姿勢が変形をすると、壁に対して正しい姿勢で突き刺しピンを取り付けられず、また、刺しピンが壁から外れ易くなる等の、不具合を生じる。
【先行技術文献】
【特許文献】
【０００８】
【特許文献１】特開平１０−１５１０６１号公報
【発明の概要】
【発明が解決しようとする課題】
【０００９】
そこで、壁に突き刺される針部材と、当該針部材の根元部分が固定されているヘッド部材とを備えており、壁に取り付けられる物品が当該ヘッド部材に係合可能となっている壁装着用突き刺しピンにおいて、コンクリート壁のような硬質の壁に対して、当該突き刺しピンを、その安定した姿勢を維持しながら突き刺し続けることを可能にする点で解決すべき課題がある。
【００１０】
この発明の目的は、上記課題を解決することであり、石膏ボードのような比較的柔らかい壁に対するばかりでなく、コンクリートのような比較的硬質の壁に対しても、正確且つ確実に突き刺すことができる壁装着用突き刺しピンを提供することである。
【課題を解決するための手段】
【００１１】
上記の課題を解決するため、この発明による壁装着用突き刺しピンは、壁に突き刺される針部材と、当該針部材の根元部分が固定されているヘッド部材とを備えており、壁に取り付けられる物品が当該ヘッド部材に係合可能となっており、前記針部材は先端部分が尖った少なくとも二本の細長い板状ピンを有しており、前記板状ピンは、板面が共通の第１面内に存在するように配置された第１群と、板面が前記第１面と平行な共通の第２面内に存在するように配置された第２群とに区分けされており、前記第１群に属する前記板状ピンは第１高さを有しており、第２群に属する前記板状ピンは前記第１高さよりも低い第２高さを有していることを特徴としている。
【００１２】
この壁装着用突き刺しピンによれば、少なくとも二本の細長い板状ピンが第１群のピンと第２群のピンとに区分けされていて、しかも第２群に属する板状ピンの高さ（第２高さ）は第１群に属する板状ピンの高さ（第１高さ）よりも低くされているので、壁装着用突き刺しピンを壁に突き刺していくときに、当初は全部の板状ピンが壁に突き刺されていくのではなく、高さの高い第１群の板状ピンのみが壁に突き刺されていく。したがって、突き刺し力は第１群の板状ピンに集中するので、一本の板状ピン当たりの突き刺し力が大きくなって板状ピンは壁に突き刺し易くなる。第１群の板状ピンが壁に刺し込まれると、次に、高さの低い第２群の板状ピンによる壁への突き刺しが、第１群の板状ピンによって案内されながら開始される。壁装着用突き刺しピンは、比較的硬質の壁に対しても、突き刺しの途中で姿勢を変更することなく、姿勢を正しく保ったまま安定して確実に突き刺すことができる。
【００１３】
この壁装着用突き刺しピンにおいて、前記第１群に属する前記板状ピンは、前記根元部分と前記先端部分の間の中間部において湾曲したものとすることができる。このように、第１群に属する板状ピンを根元部分と先端部分の間の中間部において湾曲させることで、壁内に突き刺された状態では、湾曲された中間部が抜け出しに対して壁と摩擦係合をして抵抗を示し、第１群に属する板状ピンが、そして延いては壁装着用突き刺しピンが壁から抜け出るのを防止される。
【００１４】
この壁装着用突き刺しピンにおいて、前記第１群に属する前記板状ピンは二本又はそれ以上の本数であり、前記第２群に属する前記板状ピンは一本又はそれ以上の本数であり且つ前記第１群に属する前記板状ピンの本数と等しいかそれよりも少ない本数であるとすることができる。当初、高さの高い第１群の板状ピンが壁に突き刺されるが、第１群に属する板状ピンの本数を二本とする場合には、最小の数に分散されて突き刺し力の減少程度が最小限に抑えられ、且つ壁に当接する箇所が二カ所あって当初の突き刺しが安定する。  第１群に属するピンの先端が壁の中に入ったあと、第２群に属するピンの先端が壁に刺さり、両群のピンは平行に維持される。刺すときにピンが安定しないとピンが左右に揺れ穴が大きくなり強度が弱くなる原因にもなるが、この突き刺しピンであれば、壁に刺す時にピンの姿勢が安定して壁へ刺しやすくなる。また、壁に突き刺しが完了した状態では、両群合わせて三本のピンが存在しており、二本のピンの場合よりもより安定して且つ強度が増す。第２群のピンは、少なくとも一本存在しているが、二本とする場合には、両群のピンの合計は少なくとも四本となり、更に安定と強度を増すこともできる。
【００１５】
この壁装着用突き刺しピンにおいて、前記第１群に属する前記板状ピンの前記先端部分は板厚方向に反らせてあり、そのうちの一部の前記板状ピンと別の一部の前記板状ピンの反り方向が逆であるとすることができる。第１群に属する板状ピンの先端部分を板厚方向に反り方向を逆にして反らせてあるので、第１群に属する板状ピンを壁に突き刺していくと、板状ピンは、先端部分を反らせた方向に応じて、互いに逆な方向に逸れるように壁中に突き刺せられる。したがって、壁装着用突き刺しピンは、その全体としての姿勢は互いに相殺されて変更されないが、壁から抜け出す方向の力が突き刺しピンに作用したときに、各板状ピンはその抜け出し方向の力に対して抵抗となり、壁装着用突き刺しピンは安定して壁に取り付けられた状態に維持される。
【００１６】
この壁装着用突き刺しピンにおいて、前記ヘッド部材は樹脂で形成されており、前記針部材は、前記根元部分がインサート成形されることにより、前記ヘッド部材に固定することができる。即ち、前記針部材は、前記根元部分を前記ヘッド部材にインサート成形することにより、樹脂で形成されるヘッド部材に簡単に且つ強固に固定される。
【００１７】
この壁装着用突き刺しピンにおいて、前記板状ピンの細長平板の表面には前記針部の長手方向に延びるリブを形成することができる。細長平板に働く曲げについては、一般に、その長手方向に直交し且つ当該平板の面内に延びる軸の回りの曲げ（即ち、長手方向に対して進むときに板面に直交する方向に撓む曲げ）に対する剛性が最も弱い。板状ピンの細長平板の表面にその長手方向に延びるリブを形成することで、板状ピンが長手方向の曲げ剛性が向上するので、長手方向に伸びる線を梁の線とする曲げ或いは座屈を起こし難い構造にすることができる。
【００１８】
この壁装着用突き刺しピンにおいて、前記リブは、前記ヘッド部材に埋設されている前記根元部分にまで延びて形成することができる。板状ピンに形成するリブを、ヘッド部材に埋設されている根元部分にまで延びて形成することにより、板状ピンは、ヘッド部材に埋設されている根元部分から強度と剛性を高めることができ、当該根元部分から突き出る板状ピンの付け根で生じ易い曲げ変形や座屈を防ぐことができる。ヘッド部材を樹脂で成形するときには、樹脂にリブが埋設されることになるので、針部材と樹脂製のヘッド部材との結合を高めることができる。
【００１９】
この壁装着用突き刺しピンにおいて、前記板状ピンの前記先端部分は、三角山状又は鏃状に形成することができる。板状ピンの先端部分を三角山状又は鏃状に形成することで、突き刺しピンを壁に突き刺すときに、板状ピンに加える力が先端部分に集中して壁に突き刺し易くなる。また、鏃状に形成する場合には、突き刺した後に板状ピンが壁から抜け出るのを防止することができ、壁への保持性を高めることができる。
【００２０】
この壁装着用突き刺しピンにおいて、前記板状ピンは、板厚が、前記根元部分から前記先端部分まで一様な厚さ、又は前記根元部分から前記先端部分に向かって次第に薄くされている厚さである、とすることができる。板状ピンは、板材から打ち抜いたものを加工することで製作可能である。この場合、板状ピンは、根元部分から先端部分まで一様な板厚となる。更に、打ち抜きの際又は打ち抜きの後、プレス加工によって根元部分から先端部分に向かって次第に薄くすることもでき、この構造の板状ピンは、板厚において先細となり、壁への突き刺しが容易化される。
【００２１】
この壁装着用突き刺しピンは、壁に突き刺される少なくとも二本のピンを有している針部材と、当該針部材の根元部分が埋設される樹脂製のヘッド部材とを備えている突き刺しピンであって、前記針部材は先が尖った細長い平板状の板状ピンであり、当該細長い平板状のピンの表面には針部材の長手方向に延びるリブが形成されている。本壁装着用突き刺しピンによれば、壁に突き刺される針部は先が尖った細長平板状の針部であって、その細長平板の表面には針部の長手方向に延びるリブが形成されているので、針部が硬い壁に刺し込まれるときに、その長手方向に進むに従って板面に直交する方向の撓み曲げに対する高い剛性によって容易には座屈しない。また、針部は、金属板の打ち抜きと、塑性変形によるリブの加工とを、例えば同時に行うことで簡単に製作することができる。更に、針部を突き刺すとき、及び突き刺した後に物品を吊り下げる或いは支持したときに、針部はリブによって強度が保たれているので、針部は大きな荷重を支えることができる。
【発明の効果】
【００２２】
この発明は、壁に突き刺される針部材と、当該針部材の根元部分が固定されているヘッド部材とを備えており、当該ヘッド部材が壁に取り付けられる物品に係合可能となっている壁装着用突き刺しピンであって、針部材は先端部分が尖った少なくとも二本の細長い板状ピンを有しており、板状ピンは、板面が共通の第１面内に存在するように配置された第１群と、板面が第１面と平行な共通の第２面内に存在するように配置された第２群とに区分けされており、第１群に属する板状ピンは第１高さを有しており、第２群に属する板状ピンは第１高さよりも低い第２高さを有しているので、壁装着用突き刺しピンを壁に突き刺していくときに、当初は高さの高い第１群の板状ピンのみが壁に突き刺されていくので、突き刺し力は第１群の板状ピンに集中し、板状ピンは壁に突き刺し易くなる。第１群の板状ピンが壁に刺し込まれると、次に、高さの低い第２群の板状ピンによる壁への突き刺しが開始され、第２群の板状ピンは、第１群の板状ピンによって案内されながら、姿勢を正しく保ったまま安定して確実に壁に突き刺されていく。したがって、壁装着用突き刺しピンは、柔らかい材質の壁である場合は勿論のこと、コンクリートのような比較的硬質の壁に対して突き刺す場合も、安定した姿勢を維持しながら突き刺し続けることができ、正確で、確実で、且つ突き刺しの失敗を可及的に少なくして、突き刺すことができる壁装着用突き刺しピンを提供することができる。
【図面の簡単な説明】
【００２３】
【図１】この発明による壁装着用突き刺しピンの実施例１を示す図である。
【図２】図１に示す壁装着用突き刺しピンの針部材を示す図である。
【図３】図１に示す壁装着用突き刺しピンのヘッド部材を示す図である。
【図４】この発明による壁装着用突き刺しピンの実施例２を示す図である。
【図５】図５に示す壁装着用突き刺しピンの針部材を示す図である。
【図６】この発明による壁装着用突き刺しピンの実施例３を示す図である。
【図７】この発明による壁装着用突き刺しピンの実施例４を示す図である。
【図８】この発明による壁装着用突き刺しピンの実施例５を示す図である。
【図９】図８に示す壁装着用突き刺しピンの針部材を示す図である。
【図１０】本発明による壁装着用突き刺しピンの一適用例を示す斜視図である。
【発明を実施するための形態】
【００２４】
以下、添付した図面に基づいて、この発明による壁装着用突き刺しピンの実施例を説明する。
【実施例１】
【００２５】
図１はこの発明による壁装着用突き刺しピン（以下、簡単のため「突き刺しピン」と略す。）の実施例１を示す図であって、図１の（ａ）はその全体を示す斜視図、（ｂ）はその平面図、（ｃ）はその側面図、（ｄ）はその背面図である。図２は図１に示す突き刺しピンの針部材を示す図であって、（ａ）は正面図、（ｂ）は側面図、（ｃ）は裏面図である。また、図３は図１に示す突き刺しピンのヘッド部材を示す図であって、（ａ）は正面図、（ｂ）は平面図、（ｃ）は側面図である。
【００２６】
図１に示す本発明の実施例１においては、突き刺しピン１０は、ばね鋼のようなステンレス等の金属製の針部材１１と、針部材１１の根元部分が埋設されて固定されている樹脂製のヘッド部材１２とを備えている。突き刺しピン１０は、針部材１１を壁に突き刺した状態で、ヘッド部材１２が壁に取り付けられる物品に係合可能となっている。
【００２７】
実施例１では、針部材１１は、図２にも示すように、三本の細長い薄板状の板状ピン１３，１４，１５と、これら板状ピン１３〜１５に連続し且つ共通している根元部分１６とから構成されている。三本の板状ピン１３，１４，１５はすべて同じ方向に向かって延びており、したがってすべて互いに平行である。第１群に属する二本の板状ピン１３，１４は、共通の第１面内に存在するように配置されており、板状ピン１３，１４の針幅程度（例示するものは針幅よりも僅かに細いが、これに限らない）隙間２０を挟んで互いに平行に延びている。第２群に属するもう一本の板状ピン１５は、第１面と平行な第２面内に存在するように配置されている。即ち、三本の細長い板状ピン１３，１４，１５は第１群のピン１３，１４と第２群のピン１５とに区分けされていて、板状ピン１５は、板状ピン１３，１４から板厚方向にオフセットした位置において、板面を板状ピン１３，１４と平行に、且つ、板状ピン１３，１４の間の隙間２０に位置を対応させて延びている。なお、板状ピン１３〜１５は、図１及び図２に示すように、根元部分１６に対する付け根にＲ部を形成することにより、突き刺し又は打ち込みの際にも折れにくくされている。
【００２８】
板状ピン１３，１４の先頭部分は、それぞれ同じ鏃２１の形状に形成され、板状ピン１５は単純な先が尖った三角山状のテーパ２２に形成されている。鏃２１は、一旦括れて幅が狭くなっているので、板状ピン１３，１４が壁に突き刺される時に突き刺し易くするとともに、突き刺された後には壁から容易に抜け出すのを防止して壁への保持性を高めることができる。第１群に属する板状ピン１３，１４は第１高さＨ１（先頭部分の先端の位置（図１の（ｃ）を参照））を有している。第２群に属する板状ピン１５は、板状ピン１３，１４の第１高さＨ１よりも低い第２高さＨ２を有している。突き刺しピン１０を壁に突き刺していくときに、当初は全部の板状ピン１３〜１５が壁に突き刺されていくのではなく、高さの高い第１群の板状ピン１３，１４の先端部分である鏃２１が壁に突き刺されていく。第１群の板状ピン１３，１４に作用する突き刺し力は、各板状ピン１３，１４の鏃状の先端部分に集中するので、一本の板状ピン当たりの突き刺し力が大きくなって、壁への突き刺し開始がし易くなる。第１群の板状ピンが壁に刺し込まれると、次に、高さの低い第２群の板状ピン１５の先端部分である三角山状のテーパ２２による壁への突き刺しが開始される。板状ピン１５が壁に突き刺されると、第１群の板状ピン１３，１４によって案内されながら第２群の板状ピン１５が壁に突き刺されていく。平行な三本の板状ピン１３，１４，１５がそれぞれ壁内に更に安定して突き刺される。このように、突き刺しピン１０は、比較的硬質の壁に対しても、突き刺しの途中で姿勢を変更することなく、姿勢を正しく保ったまま安定して確実に突き刺すことができる。
【００２９】
針部材１１は、一枚の金属板好ましくはステンレス板から、先ず、打ち抜きによって、中央に根元部分１６に相当する基部と、その基部の一方の側において当該基部に連続して延びる二つの板状ピン１３，１４と、その基部の他方の側において当該基部に連続して延びる一つの板状ピン１５とを有する途中部品として製作される。その途中部品について、基部を直角に折り曲げて、底部分１７とその両側の側部分１８及び１９を形成することで、一方の側部分１８には連続して二本の平行に延びる板状ピン１３，１４が形成され、他方の側部分１９には連続して一本の板状ピン１５が形成される。実施例１においては、針部材１１においては、根元部分１６が一様な板厚であり、各板状ピン１３，１４，１５の板厚は、根元部分１６に接続する部位では根元部分１６と同じ板厚であるが、打ち抜きの際又は打ち抜きの後、プレス加工によって、根元部分１６から先端部分（鏃又は三角山状のテーパ２２）に向かって板厚が次第に薄くなるように形成されている。先端部分の板厚が最も薄くされているので壁への突き刺しが容易になっており、根元部分１６に向かって板厚が増しているので壁への突き刺しが完了した状態での取付け力を確保し安定させている。この構造の板状ピンは、板厚において先細となり、石膏ボード等の比較的柔らかい壁材から成る壁への突き刺しに好適である。
【００３０】
ヘッド部材１２は、図３にも示すように、根元部分１６を埋設可能になるように樹脂によってブロック状に形成されている。金属製の針部材１１は、根元部分１６がインサート成形の手法を伴う樹脂の射出成形によってヘッド部材１２と一体化して形成されることで、ヘッド部材１２に対して簡単に且つ強固に固定される。ヘッド部材１２は、ブロック状の本体部分２５と本体部分２５の手元側において一体的で且つ面積が拡大されたヘッド端部分２６とを備えている。ヘッド端部分２６は、突き刺しピン１０を壁に突き刺す際に、手で押される、又はハンマ等の工具が打ち付けられる部分である。図示の例では、図１の（ｃ）に示すように、針部材１１の根元部分１６のうち底部分１７は、ヘッド端部分２６の位置まで深くインサート成形されているが、底部分１７がヘッド端部分２６において露出してはいない。
【００３１】
壁装着具で吊り下げるときの吊り下げ力は三本の板状ピン１３，１４，１５で分担して保持されるので、二本の場合よりも安定して保持することができる。また、突き刺すときの針部分１１は、その姿勢が安定しないと、左右に揺れて壁に作る穴が大きくなり、突き刺しピンの保持強度が低下することになるが、突き刺しピン１０では、平行に形成されている三本の板状ピン１３，１４，１５がそれぞれ壁に突き刺されるので、姿勢が安定し、壁に作る穴も最小限に済ませることができる。鏃２１の形状や、テーパ２２の形状は一例であって、これに限られることはない。図１〜３に示される突き刺しピン１０は、板厚が先端ほど薄くなるように形成されているので、石膏ボードからなる壁、ベニヤ板などの木材やその加工品から成る壁、マンション等のコンクリート壁に用いることができる。板状ピン１３，１４，１５の板厚は、適用する壁の硬さに応じて、適宜変更可能である。コンクリートのような硬質の壁に対しては、一様な板厚とすることが好ましい。
【００３２】
突き刺しピン１０において、第１群に属する板状ピン１３，１４は二本として説明したが、それ以上の本数であってもよい。また、第２群に属する板状ピン１５は一本であるとしたが、それ以上の本数であってもよい。しかしながら、第２群に属する板状ピンの本数は第１群に属する板状ピンの本数と等しいかそれよりも少ない本数であるとするのが好ましい。実施例１のように、高さの高い第１群に属する板状ピン１３，１４の本数を二本とした場合には、当初、第１群の板状ピン１３，１４が突き刺されるので、突き刺し力は最小の数にピンに分散されて減少程度が最小限に抑えられ、且つ壁に当接する箇所が二カ所あって当初の突き刺しが安定する。その後、第２群に属する板状ピン１５の先端が壁に刺さり、両群のピンは平行になる。刺すときにピンが安定しないとピンが左右に揺れ穴が大きくなり強度が弱くなる原因にもなるが、突き刺しピン１０は、壁に刺す時に板状ピン１３〜１５の姿勢が安定して壁へ刺しやすくなる。また、壁への突き刺しが完了した状態では、両群合わせて三本の板状ピン１３〜１５が存在しており、二本のピンの場合よりもより安定して且つ強度が増す。第２群の板状ピンは少なくとも一本（板状ピン１５）が存在しているが、二本とする場合には、両群のピンの合計は少なくとも四本となり、更に安定と強度を増すこともできる。
【実施例２】
【００３３】
本発明による突き刺しピンの実施例２が図４及び図５に示されている。図４は、この発明による突き刺しピンを示す図であり、（ａ）はその全体を示す斜視図、（ｂ）はその平面図、（ｃ）はその側面図、（ｄ）はその背面図である。図５は図４に示す突き刺しピンの針部材を示す図であって、（ａ）は正面図、（ｂ）は裏面図、（ｃ）は側面図、（ｄ）は（ｃ）の二点鎖線で囲む部分の拡大図である。実施例２の説明において、実施例１と共通する構造であって同等の機能を奏する部材及び部位には、実施例１に用いたのと同じ符号を用いることで、再度の説明を省略する。
【００３４】
実施例２においては、突き刺しピン３０の針部材３１を構成する第１群に属する板状ピン３３，３４には、それぞれ、細長平板の表面においてピン長手方向に沿ってリブ３５，３６が形成されている。板状ピン３３，３４の先端部分は、鏃ではなく、板状ピン１５の先細のテーパ２２と同様の三角山状のテーパ３７，３８に形成されている。その他の構造は、実施例１の針部材１１と同様の構造である。リブ３５，３６は、テーパ３７，３８の部分を除いて、板状ピン３３，３４の長手方向に延び、更に根元部分１６の側部分１８における中程の高さまで延びている。なお、リブ３５，３６は、突き刺しピン１０の製造過程において、プレス加工によって、容易に成形可能である。なお、符号３２は、突き刺しピン３０のヘッド部材である。
【００３５】
細長平板状の板状ピン３３，３４に働く曲げについては、一般に、その長手方向に直交し且つ当該平板の面内に延びる軸の回りの曲げ（即ち、長手方向に対して進むときに板面に直交する方向に撓む曲げ）に対する剛性が最も弱いが、細長平板の表面にリブ３５，３６を形成することで、根元部分１６から突き出る板状ピン３３，３４の強度と剛性が向上し、壁への突き刺し時又は打ち込み時に曲げ変形或いは座屈を起こし難い構造にすることができる。
【００３６】
根元部分１６は、針部材３１をヘッド部材３２にインサート成形するときに樹脂に埋設されるので、板状ピン３３，３４から側部分１８上に連続的に形成されているリブ３５，３６も、側部分１８上の部分では樹脂内に埋設されることになる。その結果、ヘッド部材３２に埋設されている根元部分１６から板状ピン３３，３４に渡って強度と剛性を連続的に高めることができ、板状ピン３３，３４の付け根で生じ易い曲げ変形や座屈を防ぐことができる。また、針部材３１は、リブ３５，３６がインサート成形によって樹脂に埋設されるとき、樹脂との接触面積が増えるので、根元部分１６においてヘッド部材３２との結合も強固にすることができる。
【実施例３】
【００３７】
本発明による突き刺しピンの実施例３が図６に示されている。図６は、この発明による突き刺しピンを示す図であり、（ａ）は突き刺しピンの針部材の全体を示す斜視図、（ｂ）は突き刺しピンの平面図、（ｃ）は（ｂ）の側面図、（ｄ）は（ｂ）の一部を拡大して示す図である。実施例３の説明において、実施例２（図４及び図５）と共通する構造であって同等の機能を奏する部材及び部位には、実施例２に用いたのと同じ符号を用いることで、再度の説明を省略する。
【００３８】
図６に示す実施例３に示す突き刺しピン４０は、その針部材４１の第１群に属する板状ピン４３，４４のテーパ４７，４８の先端部分４７ａ，４８ａが板厚方向に反らせてある。実施例３では、第１群の板状ピン４３，４４において、一方の板状ピン４３におけるテーパ４７の先端部分４７ａの反り方向（Ａ方向）と、他方の板状ピン４４におけるテーパ４８の先端部分４８ａの反り方向（Ｂ方向）とは逆とされている。したがって、板状ピン４３，４４を壁に突き刺していくと、板状ピン４３，４４は、先端部分４７ａ，４８ａを反らせた方向に応じて、壁中を互いに逆な方向に逸れるように突き進むことになる。板状ピン４３，４４のそれぞれの挙動は向きが逆であるために互いに相殺されるので、突き刺しピン４０の全体としての姿勢は変更されない。しかしながら、突き刺しピン４０に壁から抜け出す方向の力が作用したときに、変形した各板状ピン４３，４４はその抜け出し方向の力に対して抵抗となり、突き刺しピン４０は、安定して壁に取り付けられた状態を維持する。なお、符号４２は、突き刺しピン４０のヘッド部材を指す。
【実施例４】
【００３９】
本発明による突き刺しピンの実施例４が図７に示されている。図７は、この発明による突き刺しピンを示す側面図である。実施例４の説明において、実施例２（図４及び図５）と共通する構造であって同等の機能を奏する部材及び部位には、実施例２に用いたのと同じ符号を用いることで、再度の説明を省略する。
【００４０】
図７に示す突き刺しピン５０において、針部材５１の第１群に属する板状ピン５３，５４は、根元部分１６と先端部分５７，５８の間の中間部５９において板厚方向（リブ３５，３６が形成される側とは反対方向）に膨出するように湾曲成形されている。このようにすることで、壁内への突き刺しにはそれほど抵抗にならないが、壁内に突き刺された状態では、湾曲された中間部５９が壁から抜け出そうとすると、壁と摩擦係合をして抵抗を示し、第１群に属する板状ピン５３，５４がそして延いては突き刺しピン５０が壁から抜け出るのを防止する作用・効果を高めることができる。なお、実施例４においては、針部材５１の第２群に属する板状ピン５５にも、板状ピン５３，５４のリブ３５，３６と同様に突き刺しピン５０の外側を向く板面に、補強用のリブ５６が形成されている。実施例４に示す突き刺しピン５０は、硬い材質の壁に好適である。
【実施例５】
【００４１】
本発明による突き刺しピンの実施例５が図８及び図９に示されている。図８は、この発明による突き刺しピンを示す図であり、（ａ）は突き刺しピンの針部材の全体を示す裏面図、（ｂ）は突き刺しピンの平面図、（ｃ）は側面図である。また、図９は、図８に示す突き刺しピンの針部材を示す図であり、（ａ）は正面図、（ｂ）は側面図、（ｃ）は裏面図である。実施例５の説明において、実施例４（図７）と共通する構造であって同等の機能を奏する部材及び部位には、実施例４に用いたのと同じ符号を用いることで、再度の説明を省略する。
【００４２】
図８及び図９に示す実施例５において、突き刺しピン６０は、針部材６１の第１群に属する板状ピン６３，６４に、根元部分１６（側部分１８の途中高さ）にまでピンの長手方向に伸びるリブ３５，３６が形成されている。また、針部材６１の第２群に属する板状ピン６５にも、根元部分１６（側部分１８の途中高さ）にまでピンの長手方向に伸びるリブ５６が形成されている。針部材６１は、ヘッド部材６２に対してインサート成形によって一体化されているが、針部材６１の底部分１７がヘッド部材６２の端面にて露出するように成形されている。突き刺しピン６０を硬質の壁に打ち込む際には、露出した金属製の底部分１７をハンマで叩くことによって行われるので、樹脂がハンマで叩かれることによる破損が生じない。ハンマ打ちの後、ヘッド部材６２の端面にキャップを取り付けることで、底部分１７を覆うことができる。
【００４３】
特に図９に示すように、針部材６１の根元部分１６には、リブ３５，３６及びリブ５６と干渉しない位置に、材料抜き用の孔６６及び孔６７，６７が形成されている。板状ピン６３，６４が延びる側部分１８には、中央に比較的大きな一つの孔６６が形成されており、板状ピン６５が延びる側部分１９には、両側に比較的小さい二つの孔６７，６７が形成されている。針部材６１のインサート成形時、注入される樹脂が孔６６及び孔６７，６７にそれぞれ入り込む。樹脂が孔６６及び孔６７，６７に入り込み、そして板状ピン６３，６４のリブ３５，３６と板状ピン６５のリブ５６とがインサート成形時に樹脂と結合することにより、針部材６１とヘッド部材６２との結合が大きく強化される。
【００４４】
壁装着用突き刺しピンにおいて、上記のように、針部材の板状ピンについては三本（第１群が二本、第２群が一本）の例を挙げて各実施例を説明してきたが、二本のピン（第１群及び第２群が共に一本）を持つ針部材の場合も考えられる。二本のピンの突き刺しピンは、先端部分が尖った二本の細長い板状ピンを有しているものである。板状ピンの本数が少ないので、取り付ける物品の重量が小さいものであればマンションのようなコンクリート壁にも適用可能であるが、壁材が石膏ボード、べニヤ板材にも使用することができる。また、タイルのメジなど細い箇所にも刺すことができるので、タイルに穴をあけることが無く、物を固定することができる。また、外した場合は大きな穴が空くことが無い点でも有利である。二本の板状ピンの突き刺しピンの場合でも、三本の板状ピンの場合と同様に、ステンレスにすることで錆びることなく且つ強い強度を確保することができ、またピン中央部にリブを設けることにより強度を高めることができる。
【００４５】
板状ピンの形状について、先端側ほど板厚を次第に薄くした板状ピンを備える突き刺しピンは、特に、石膏ボード、モルタル用として使うのに好適である。板状ピンの先端部を尖る形状とし、また先端部の厚みを薄くすることができる。更に脚には反対方向への反りを付けてもよい。
【００４６】
針部材が３つの脚を持つ突き刺しピンは、コンクリート又は板材用として好適である。各板状ピンは、根元部分から先端部分まで一様な板厚とされる。三本の板状ピンを備えるものは、二本の板状ピンより強度は増す。そして、二本のピンの先端が壁の中に入ったあと、一本のピンの先端が壁に刺さり、三本のピンは平行になり、刺す時にピンは安定して刺しやすくなる。刺すときにピンが安定しないと、ピンが左右に揺れ穴が大きくなり強度が弱くなる原因にもなる。更に強度を増すために、ピンを四本にしてもよい。
【００４７】
本発明による壁装着用突き刺しピンにおいては、壁体への物品の取付けに用いられるピンとしたが、壁体は、一般の家庭のモルタル壁、木材又はベニヤ板材で構成された壁材、或いはコンクリート壁であってもよい。木材又はベニヤ板材で構成された壁材としては、製品的には、無垢材の他に、合板やＭＤＦ（中質繊維板）などの基材に木材の薄い板を張り付けた天然木化粧合板、合板の表面に樹脂加工した紙やビニールを貼着した合成樹脂合板、合板に直接木目などを印刷したプリント合板などであってもよいことは明らかである。また、塗り壁としては、例えば臭機能が高い珪藻土、消石灰を原料とした漆喰であってもよい。石膏プラスターやドロマイトプラスター塗りであってもよい。
【００４８】
また、本発明による壁装着用突き刺しピンにおいては、ピンの板厚は、材質が柔らかい壁である場合にはピンの先端部分ほど薄くして突き刺しを容易にすることもできる。プレス加工にて容易に加工することができる。また、硬い壁の場合には、針部材としては、硬い壁用には根元部分から先端部分まで一様な厚さとすることができるが、全体的には板厚を厚くし、ピンの長さを短くし、ピンとピンの間隔を狭めたものを用いることが好ましい。リブ有りのものを用いると更に強度・剛性が増し、変形や座屈に対して抵抗性が増す。一例として、長い方のピンの長さを略１３ｍｍ、短い方のピンの長さを略１１ｍｍ、ピンとピンの間隔（隙間）を略２ｍｍ、板厚は１．６ｍｍ〜２．０ｍｍであるが、これらは一例であって、取り付ける物品の重さ、壁材の性質、用いる突き刺しピンの個数、個々の突き刺しピンに掛かる荷重条件等を考慮して、突き刺しピンの形態を選択するのが好ましい。それゆえ、多数の仕様の突き刺しピンを用意しておき、使用する状況に応じて、その中から、安全な仕様のものを選択可能にしておくことが推奨される。
【００４９】
図１０に、本発明による壁装着用突き刺しピン（例えば、実施例１に示す突き刺しピン１０）の一適用例を示す。図１０においては、三つの突き刺しピン１０，１０，１０が、壁Ｗに引っ掛け金具１００を固定するのに用いられている。引っ掛け金具１００は、本体１０１と、本体１０１の下端から折り返して形成したフック部１０２と、本体１０１から延びる３本のアーム部１０３，１０３，１０３とを備えている。各アーム部１０３の先端部分には、突き刺しピン１０を突き刺すための孔１０４が形成されている。孔１０４は、突き刺しピン１０のヘッド部材１２を受け入れるために四角形に形成されている。各突き刺しピン１０を、孔１０４を通して壁Ｗに突き刺すことにより、ヘッド部材のブロック状の本体部分２５が孔１０４に嵌合し、ヘッド端部分２６が壁Ｗとの間で引っ掛け金具１００を挟み込むことで、引っ掛け金具１００を壁Ｗに固定することができる。引っ掛け金具１００は、フック部１０２において、ハンガや手提げ等の物品を掛けて吊り下げることができる。図１０に示した壁Ｗに固定するための金具はあくまで例示であり、図示以外の適宜の形状・形態のものを採用することができる。引っ掛けに供する以外に、支えや、或いは別の製品を取り付けるためのアダプタを壁Ｗに固定するのにも使用することができる。ヘッド部材１２の物品への係合は、ヘッド部材１２自体が物品に係合する構造を持つ場合の他、ヘッド部材１２が壁Ｗとの間に物品を挟み込む、或いはそれらの組合せであってもよい。
【符号の説明】
【００５０】
１０  突き刺しピン            １１  針部材
１２  ヘッド部材（樹脂製）
１３，１４，１５  板状ピン
１６  根元部分                １７  底部分
１８，１９  側部分            ２０  隙間
２１  鏃                      ２２  テーパ
２５  ブロック状の本体部分
２６  ヘッド端部分
３０  突き刺しピン            ３１  針部材
３２  ヘッド部材
３３，３４  板状ピン          ３５，３６  リブ
３７，３８  テーパ
４０  突き刺しピン            ４１  針部材
４２  ヘッド部材
４３，４４  板状ピン
４７，４８  テーパ      ４７ａ，４８ａ  先端部分
５０  突き刺しピン            ５１  針部材
５２  ヘッド部材
５３，５４，５５  板状ピン    ５６  リブ
５７，５８  先端部分
５９  中間部
６０  突き刺しピン            ６１  針部材
６３，６４，６５  板状ピン
１００  引っ掛け金具
【図１】
2012232521.tif 000003
【図２】
2012232521.tif 000004
【図３】
2012232521.tif 000005
【図４】
2012232521.tif 000006
【図５】
2012232521.tif 000007
【図６】
2012232521.tif 000008
【図７】
2012232521.tif 000009
【図８】
2012232521.tif 000010
【図９】
2012232521.tif 000011
【図１０】
2012232521.tif 000012